(57)【要約】【課題】コンロ本体の枠部にフロント部材を組み付ける作業を容易化する。【解決手段】  コンロ１は、筐体２と、筐体２に組み付けられるグリル部８と、を備え、前方側に向かって開放した枠部１０が自身の前部に形成されてなるコンロ本体１Ａと、枠部１０内に嵌め込まれるフロント部材２０とを備える。枠部１０の底壁部２Ｄ（底面部）には、凹部又は凸部を有する嵌合部が形成されており、フロント部材２０の下面部には、凸部又は凹部を有するとともに嵌合部と嵌まり合う被嵌合部が形成されている。そして、フロント部材２０が枠部１０内に組み込まれる際に、被嵌合部が嵌合部の上方側から落とし込まれることにより嵌合部と嵌まり合う。【選択図】図１０
2020101307.tif 000002
【特許請求の範囲】
【請求項１】
底壁部を備えた筐体と、前記筐体に組み付けられるグリル部と、を備え、前方側に向かって開放した枠部が自身の前部に形成されてなるコンロ本体と、
前記グリル部の左右方向一方側又は他方側において前記枠部内に嵌め込まれるフロント部材と、
を備え、
前記枠部の底面部には、凹部又は凸部を有する嵌合部が形成されており、
前記フロント部材の下面部には、凸部又は凹部を有するとともに前記嵌合部と嵌まり合う被嵌合部が形成され、
前記フロント部材が前記枠部内に組み込まれる際に、前記被嵌合部が前記嵌合部の上方側から落とし込まれることにより前記嵌合部と嵌まり合う
コンロ。
【請求項２】
前記フロント部材に対して変位可能に取り付けられ、前記フロント部材の前側に突出した前方位置と前記前方位置のときよりも後方側に退避した退避位置とに変位する操作パネルを備え、
前記フロント部材は、前記操作パネルの下方側に配置されるとともに前記操作パネルをスライド可能に支持する支持部を有し、
前記支持部の下面部が前記フロント部材の下面部の少なくとも一部をなし、前記支持部の下面部に前記被嵌合部が形成されている
請求項１に記載のコンロ。
【請求項３】
前記フロント部材には電池を収容する電池収容部が形成されており、
前記電池収容部の下面部が前記フロント部材の下面部の少なくとも一部をなし、前記電池収容部の下面部に前記被嵌合部が形成されている
請求項１に記載のコンロ。
【請求項４】
前記嵌合部は、孔部からなり、
前記被嵌合部は、突起部からなり、
前記枠部の底面部には、複数の前記孔部が形成されており、
前記フロント部材の下面部には、下方側に突出するとともに前記フロント部材が前記枠部内に嵌め込まれたときに複数の前記孔部内にそれぞれ嵌まり落ちる複数の前記突起部が形成されている
請求項１から請求項３のいずれか一項に記載のコンロ。
【請求項５】
前記筐体の底壁部が前記枠部の底面部をなし、
前記筐体の底壁部において上下に貫通した構成で複数の前記孔部が形成されている
請求項４に記載のコンロ。
【発明の詳細な説明】
【技術分野】
【０００１】
本発明は、コンロに関するものである。
【背景技術】
【０００２】
特許文献１で開示されるビルトインコンロ１は、コンロ本体２と、コンロ本体２に組み付けられる装置ユニット２０とを備えており、装置ユニット２０は、前後方向に出退する操作パネル２５を備える一体的なユニットとなっている。
【先行技術文献】
【特許文献】
【０００３】
【特許文献１】特開２０１１−５２８４０号公報
【発明の概要】
【発明が解決しようとする課題】
【０００４】
特許文献１で開示されるビルトインコンロ１は、コンロ本体２に形成された取付開口３内に装置ユニット２０が挿入される形で組み付けられるが、その際に、操作ユニット２５に形成された爪部５５，５６をコンロ本体２の底面４に点接触させて取り付ける構成となっている。この構成では、爪部５５，５６を底面４上に載置することによってある程度の支持がなされるが、このような載置だけでは、装置ユニット２０をコンロ本体２に確実に固定できないため、ねじ止め等によって別途固定する必要がある。この場合、装置ユニット２０の前面部を確実にコンロ本体２に固定するために前面側からねじ止めを行い、更に、装置ユニット２０における取付開口３内に挿入された部分の位置ずれを防ぐために、底面側からもねじ止めを行うものと考えられる。しかし、このようにねじ止めを行う部位が増えると、ねじ止め工程が複雑化し、組み付け作業の困難化を招いてしまうことになる。
【０００５】
本発明は上述した課題の少なくとも一つを解決するためになされたものであり、コンロ本体の枠部にフロント部材を組み付ける作業の容易化を図り得るコンロを提供することを目的とする。
【課題を解決するための手段】
【０００６】
本発明の一態様のコンロは、
底壁部を備えた筐体と、前記筐体に組み付けられるグリル部と、を備え、前方側に向かって開放した枠部が自身の前部に形成されてなるコンロ本体と、
前記グリル部の左右方向一方側又は他方側において前記枠部内に嵌め込まれるフロント部材と、
を備え、
前記枠部の底面部には、凹部又は凸部を有する嵌合部が形成されており、
前記フロント部材の下面部には、凸部又は凹部を有するとともに前記嵌合部と嵌まり合う被嵌合部が形成され、
前記フロント部材が前記枠部内に組み込まれる際に、前記被嵌合部が前記嵌合部の上方側から落とし込まれることにより前記嵌合部と嵌まり合う。
【発明の効果】
【０００７】
上記一態様のコンロは、枠部の底面部に凹部又は凸部を有する嵌合部が形成され、フロント部材の下面部には、凸部又は凹部を有するとともに嵌合部と嵌まり合う被嵌合部が形成されている。そして、フロント部材が枠部内に組み込まれる際に、被嵌合部が嵌合部の上方側から落とし込まれることにより嵌合部と嵌まり合う構成となっている。このような構成であるため、作業者がフロント部材を枠部内に組み込む作業を行う際には、フロント部材を前方側から枠部内に挿入した後、被嵌合部を嵌合部の上方から落とすように変位させることで、フロント部材の下面部と枠部の底面部とを容易に組み付けることができる。つまり、フロント部材の下面部が前後及び左右に移動することを規制した状態でフロント部材を枠部内に組み込む作業を容易に行うことができ、筐体の下側から多数のねじ止め等を行わずとも、フロント部材の下面部を容易に位置決め及び位置保持することができる。よって、コンロ本体の枠部にフロント部材を組み付ける作業の容易化が図られる。
【図面の簡単な説明】
【０００８】
【図１】図１は、実施例１のガスコンロを概略的に例示する正面図である。
【図２】図２は、図１のガスコンロの一部を分解した構成を示す分解斜視図である。
【図３】図３は、図１のガスコンロの一部をなすフロント部材と操作パネルとが互いに組み付けられた構造体を斜め前方から見た構成を示す斜視図である。
【図４】図４は、図３の構造体の右側面図である。
【図５】図５は、図３の構造体を分解した構成を示す分解斜視図である。
【図６】図６は、図３の構造体を構成するフロント部材の一部をなす下部構成体を下方側から見た斜視図である。
【図７】図７は、図３の構造体のうち、下部構成体に操作パネルが載置された部分を示す背面図である。
【図８】図８は、下部構成体に操作パネルが載置された部分を示す右側面図であり、（Ａ）は、操作パネルが退避位置にあるときの状態を示す図であり、（Ｂ）は、操作パネルが前方位置にあるときの状態を示す図である。
【図９】図９は、コンロ本体からフロント部材等を取り外した構成を下方側からみた斜視図である。
【図１０】図１０は、図９の構成に対し、フロント部材及び操作パネルが組み付けられた構成を示す斜視図である。
【図１１】図１１は、図１のＡ−Ａ位置で切断した構成を概略的に示す断面図である。
【発明を実施するための形態】
【０００９】
ここで、本発明の望ましい一例を示す。
本発明の一態様のコンロは、フロント部材に対して変位可能に取り付けられ、フロント部材の前側に突出した前方位置と前方位置のときよりも後方側に退避した退避位置とに変位する操作パネルを備えていてもよい。フロント部材は、操作パネルの下方側に配置されるとともに操作パネルをスライド可能に支持する支持部を有していてもよい。支持部の下面部がフロント部材の下面部の少なくとも一部をなし、支持部の下面部に被嵌合部が形成されていてもよい。
このようにすれば、進退可能な操作パネルをフロント部材に設けた構成において、コンロ本体の枠部にフロント部材を組み付ける作業の容易化が図られる。具体的には、操作パネルを支持する支持部を枠部の底面部に組み付ける部位として利用することができる。
【００１０】
本発明の一態様のコンロは、フロント部材には電池を収容する電池収容部が形成されていてもよい。電池収容部の下面部がフロント部材の下面部の少なくとも一部をなし、電池収容部の下面部に被嵌合部が形成されていてもよい。
このようにすれば、電池を収容する電池収容部をフロント部材に設けた構成において、コンロ本体の枠部にフロント部材を組み付ける作業の容易化が図られる。具体的には、電池収容部の下面部を枠部の底面部に組み付ける部位として利用することができる。
【００１１】
本発明の一態様のコンロは、嵌合部が、孔部からなり、被嵌合部が、突起部からなり、枠部の底面部に、複数の孔部が形成され、フロント部材の下面部に、下方側に突出するとともにフロント部材が枠部内に嵌め込まれたときに複数の孔部内にそれぞれ嵌まり落ちる複数の突起部が形成されていてもよい。
このようにすれば、孔部及び突起部という簡易な構成によりフロント部材の下面部側の組み付け構造を実現することができ、突起部を孔部に落とし込むという簡易な作業によりフロント部材の下面部と枠部の底面部とを組み付けることができるようになる。よって、構成の簡易化、作業の容易化が一層図られる。
【００１２】
本発明の一態様のコンロは、筐体の底壁部が枠部の底面部をなしていてもよく、筐体の底壁部において上下に貫通した構成で複数の孔部が形成されていてもよい。
このようにすれば、枠部の底面部を筐体の底壁部によって兼用することができ、構成の一層の簡易化が図られる。そして、フロント部材を筐体の底壁部に直接位置決めすることができるようになる。
【００１３】
＜実施例１＞
以下、実施例１について、図面を参照して説明する。
図１、図２のように、コンロ１は、ガスバーナ４，５，６、ガスバーナ４，５，６を収容するコンロ本体１Ａなどを有するガスコンロとして構成されおり、図示しないキャビネットに組み込まれるビルトインコンロとして構成されている。
【００１４】
以下の説明では、コンロ１において、板状に構成された天板３の板面方向のうち、短手方向を前後方向とし、前後方向と直交する方向である天板３の長手方向を左右方向とする。更に、前後方向及び左右方向と直交する方向である天板３の板厚方向を上下方向として説明する。図１では、左右方向がコンロ１の左右方向であり、上下方向がコンロ１の上下方向である。コンロ１の上下方向は、例えば、コンロ１が水平面（鉛直方向と直交する平坦面）に載置されたときに鉛直方向に沿った方向となる。以下の説明では、図２において、左斜め下方、右斜め上方、右斜め下方、左斜め上方を、それぞれ、コンロ１の前方、後方、右方、左方とする。
【００１５】
図２のように、コンロ１はコンロ本体１Ａによって外殻（ケース体）が構成されており、このコンロ本体１Ａの内部にガスバーナ４，５，６などの各種部品が収容された構成をなす。コンロ本体１Ａは、ガスバーナ４，５，６などの各種部品を収容する筐体２と、筐体２の上端部に固定される天板３と、グリル部８とを備える。このコンロ本体１Ａには、筐体２の前部（前側の部分）に固定されるフロント部材２０、フロント部材２０の前側に装着される化粧パネル９０、操作パネル６０、操作パネル６０の前側に装着される化粧パネル９２、などが組み付けられている。具体的には、フロント部材２０、化粧パネル９０、操作パネル６０、化粧パネル９２が一体的に組み付けられた構成でユニット９５が構成され、このユニット９５が、後述する枠部１０内に一部を挿入させた形でコンロ本体１Ａの前側に組み付けられている。なお、図２、図９では、ねじ部材８０（図１０）が組み付けられた状態を図示しているが、実際は、フロント部材２０が嵌め込まれた後にねじ部材８０が挿入されることになる。
【００１６】
筐体２は、公知の金属材料を主体として上方側が開放した箱状に構成されている。左右に一対の側壁部（図２では、一方の側壁部２Ｃのみを図示）を備えるとともに、これら側壁部の後端部に連結される形で後壁部（図示略）が設けられる。また、筐体２の前面部（図示略）はフレーム状又は壁状に構成されており、これら前面部、側壁部、後壁部によって筐体２の内部空間の前後左右を囲む構成をなし、これら前面部、側壁部、後壁部の下部には底壁部２Ｄが連結されている。筐体２は、これらの壁部によって上部が開口した箱状形態をなしており、筐体２の上端部には、天板３が取り付けられている。
【００１７】
図１、図２のように、天板３は、板状に構成されると共にガスバーナ４，５，６を露出させるための開口部（貫通孔）が複数個形成された構成をなす。天板３は、例えばカウンタトップ（図示略）の上側に配置される。図２のように、天板３において右手前（右端寄りかつ前端寄りの位置）にはガスバーナ（右バーナ）４、左手前（左端寄りかつ前端寄りの位置）にはガスバーナ（左バーナ）５、中央奥側にはガスバーナ（奥バーナ）６が夫々設けられている。
【００１８】
図１のように、筐体２の左右方向中央寄りには、グリル部８が組み付けられている。グリル部８は、箱状に構成されたグリル庫、グリル庫を開閉するグリル扉８Ｂ、ガスバーナとして構成されるとともにグリル庫内に配置されるグリルバーナ（図示略）、グリル扉８Ｂの後方側においてグリル扉８Ｂと一体的に設けられる受け皿、受け皿の上に載置される焼き網などを備える。天板３において後端寄りの位置には、グリル庫と連通する排気口が設けられ、この排気口を覆う構成で、多数の開口部を備えた排気口カバー９が配置されている。
【００１９】
図１のように、筐体２の前面の右寄りには２つの点火ボタン１１，１４（点火操作部）が、左寄りにはもう２つの点火ボタン１２，１３が設けられている。点火ボタン１１は、ガスバーナ４の点火操作及び消火操作を行うための操作ボタンであり、点火ボタン１２は、ガスバーナ５の点火操作及び消火操作を行うための操作ボタンであり、点火ボタン１３は、ガスバーナ６の点火操作及び消火操作を行うための操作ボタンである。点火ボタン１４は、グリル部８のガスバーナの点火操作及び消火操作を行うための操作ボタンである。各点火ボタン１１，１２，１３，１４は、フロント部材２０の前面よりも前方へ突出して設けられ、筐体２の内部に設けられた図示しない制御回路と関連して動作する構成をなしており、使用者が押し込み操作すると、制御回路による制御により、その操作されたボタンに対応するガスバーナの点火又は消火が行われるようになっている。図１のように、筐体２の前面の右寄りには２つのレバー１６Ａ，１６Ｄ（火力調整操作部）が、左寄りにはもう２つのレバー１６Ｂ，１６Ｃが設けられている。レバー１６Ａ，１６Ｂ，１６Ｃ，１６Ｄはそれぞれ、対応するガスバーナ４，５，６又はグリル部８のグリルバーナにおける火力の調整操作を行うための火力調整レバーである。点火ボタン１２，１３の下側には、コンロ１に電力を供給するための電池を収容する電池収容部１６０（電池ボックス）が設けられている。
【００２０】
図２で示されるフロント部材２０は、例えば、金属材料又は樹脂材料を主体として構成されている。上述した筐体２には、前方に向かって開口し、後方側に向かって凹んだ構成をなす枠部１０（収容凹部）が形成されている。フロント部材２０は、グリル部８の左右方向一方側（本実施例では右側）において、この枠部１０の内部を前方から覆うように配置され、筐体２の前部に固定される。具体的には、筐体２の前面部（前面を構成する部分）の一部を覆うように筐体２に対して直接又は他部材を介して間接的に固定される構成をなしている。
【００２１】
図３、図４には、フロント部材２０に操作パネル６０を組付けた組付状態の様子が示されており、図５には、上部構成体２２と下部構成体２４とが分解された状態が示されている。図５のように、フロント部材２０は、上部構成体２２と下部構成体２４とを有し、上部構成体２２及び下部構成体２４の各々は、全体が一体成形されている。上部構成体２２は、正面視において略矩形状をなしており、枠部１０の内部を前方から覆うように枠部１０の開口部分に配置される（図１０参照）。上部構成体２２は、前面側に第１開口部３２，３３と、第２開口部３４，３５と、を有する。第１開口部３２，３３は、前後方向に貫通した開口形状をなしており、自身の内部に上述した点火ボタン１１，１４が嵌り込むように配置される。第２開口部３４，３５はそれぞれ、第１開口部３２，３３の上方に配置され、正面視において所定方向（本実施例では左右方向）に長い形態をなしている。上述したレバー１６Ａ，１６Ｄは、枠部１０の内部から前方に向かって突出した形態をなしている。第２開口部３４，３５は、これらのレバー１６Ａ，１６Ｄが後方から挿し通されるとともに、自身の内部領域がレバー１６Ａ，１６Ｄの移動経路として構成されている。即ち、レバー１６Ａ，１６Ｄは、第２開口部３４，３５を介して前方に突出した状態で配置され、突出した部分が操作されることで第２開口部３４，３５を左右方向に移動し得るようになっている。レバー１６Ａ，１６Ｄが左右方向に操作されることで、対応するガスバーナ４又はグリル部８のグリルバーナにおける火力が調整される。これらの第１開口部３２，３３と第２開口部３４，３５とは一体成形されている。また、化粧パネル９０は、第１開口部３２，３３及び第２開口部３４，３５を塞がないように、第１開口部３２，３３及び第２開口部３４，３５に対応する部分が前後方向に貫通した開口形状をなしている。
【００２２】
上部構成体２２は、枠部１０の内部を前方から覆う前面部２６と、前面部２６の下側部分の左右両端部から後方に延びる一対の側面部２８，２８とを有する。各側面部２８の下側部分には、少なくとも１つ（本実施例では４つ）の連結孔２８Ａが前後方向に等間隔で形成されている。
【００２３】
下部構成体２４は、図３のように、上部構成体２２の下側に配置されるとともに上部構成体２２と共に前方側に開口した孔部３０を構成する部材である。下部構成体２４は、支持部として機能し、図５のように操作パネル６０の下方に配置されるとともに自身の一部によって操作パネル６０を下方側から支持する構成をなす。この下部構成体２４には、操作パネル６０がスライド可能に載置され、下部構成体２４は、自身の外面（具体的には、底部３６の上面等）によって操作パネル６０の下面を下から支えるように支持する。下部構成体２４は、平面視において左右方向に長い略矩形状をなしており、図６のように、底部３６と、一対のガイド壁３８，３８と、を備えており、底部３６によって操作パネル６０を所定高さに支持しつつ、一対のガイド壁３８，３８によって左右方向の移動を規制しながら操作パネル６０の前後方向の移動を案内するように機能する。
【００２４】
下部構成体２４の底部３６は、平面視において左右方向に長い略矩形状をなしており、上下方向に厚みを有する。一対のガイド壁３８，３８の各々は、板状をなしており、底部３６の左右両端部からそれぞれ立ち上がった形態をなし、前後方向に沿って延びている。一対のガイド壁３８，３８の各々の外側面には、上部構成体２２に設けられた各連結孔２８Ａの位置に対応して連結孔２８Ａと同数（本実施例では４つ）の連結部３８Ａが形成されている。各連結部３８Ａは、左右方向外方に突出した形状をなしており、ガイド壁３８，３８が弾性的に撓み変形することで各連結孔２８Ａに嵌まり込む構成をなしている。このような構成により、下部構成体２４が上部構成体２２に連結される（図３、図４参照）。また、図７のように、ガイド壁３８，３８の各々の内壁面をそれぞれ含む構成で、前後方向に沿って延びるガイド溝３８Ｂ，３８Ｂが形成されている。
【００２５】
被係合部４４は、後述する操作パネル６０の係合部７０と係合する部分である。被係合部４４は、係合部７０とともに、押圧操作が行われるごとに係合状態とこの係合状態が解除された係合解除状態とに交互に切り替わるプッシュラッチ機構を構成する。被係合部４４は、底部３６の左右方向中央部の後端部から上方に立ち上がって構成されている。
【００２６】
操作パネル６０は、コンロ１による調理の加熱温度、加熱時間等を設定するための操作に用いられるものである。操作パネル６０は、フロント部材２０に対して変位可能に取り付けられる。具体的には、操作パネル６０は、フロント部材２０に組み付けられた組付状態において孔部３０内に配置され、フロント部材２０の前側に突出した前方位置と、前方位置のときよりも後方側に退避した退避位置とに変位する。なお、図８（Ａ）は、退避位置のときの下部構成体２４と操作パネル６０との関係を示しており、図５、図８（Ｂ）は、前方位置のときの下部構成体２４と操作パネル６０との関係を示している。図５、図８（Ｂ）のように、操作パネル６０の「前方位置」は、退避位置のときよりも操作パネル６０の前方への突出量が大きくなる所定位置であり、具体的には、操作パネル６０における操作部６４Ａ（外部操作可能に構成された操作ボタンや表示装置などが設けられた部分であり、パネル本体６４の上面部の過半領域を構成する部分）が露出する位置であり、且つ、後述する延設部６６，６６が露出しない位置である。なお、図５では、操作部６４Ａの上面部を構成する装飾カバー（上面カバー）を省略して示しており、装飾カバーの下方に配置された表示装置６４Ｂや操作ボタン６４Ｃなどを露出させて例示している。操作パネル６０の「退避位置」は、操作パネル６０の大部分又は全部が化粧パネル９０（図１）の前面よりも後方に配置される位置である。図１等の構成では、操作パネル６０が「退避位置」のときにフロント部材２０に取り付けられる化粧パネル９０の前面と操作パネル６０に取り付けられる化粧パネル９２の前面とが前後方向において同位置又は略同位置に揃うようになっている。
【００２７】
操作パネル６０は、前後方向に長く上下方向に厚みを有するベース部６２と、一対の被ガイド部６８，６８と、係合部７０とを有している。
【００２８】
ベース部６２は、パネル本体６４と、一対の延設部６６，６６と、を有する。パネル本体６４は、ベース部６２の前側部分を構成し、左右方向に長い平面視略矩形状をなしている。パネル本体６４は、上面側に上記操作部６４Ａが設けられている。一対の延設部６６，６６は、パネル本体６４と一体的に構成されるとともに、パネル本体６４から後方側に延びている。より具体的には、延設部６６，６６は、第１延設部６６Ａと、第２延設部６６Ｂとを有する。第１延設部６６Ａは、パネル本体６４と一体的に構成されるとともに、パネル本体６４の左右方向一端側（本実施例では右側）においてパネル本体６４から後方側に延びている。第２延設部６６Ｂは、パネル本体６４と一体的に構成されるとともに、パネル本体６４の左右方向他端側（本実施例では左側）においてパネル本体６４から後方側に延びている。第１延設部６６Ａと第２延設部６６Ｂとは、左右方向に離間して配置されており、第１延設部６６Ａと第２延設部６６Ｂとの間には、後方に開口した空間が形成されている。
【００２９】
係合部７０は、上述した被係合部４４と係合する部分である。係合部７０は、パネル本体６４の後面から後方に突出した形状をなしており、第１延設部６６Ａと第２延設部６６Ｂとの間に形成された空間に配置される。
【００３０】
一対の被ガイド部６８，６８は、上述した一対のガイド壁３８，３８（フロント部材２０）によってガイドされる部分である。一対の被ガイド部６８，６８は、操作パネル６０の左右両側面の下端部から左右方向外方に向けてリブ状に突出し、前後方向に延びる形状をなしている。
【００３１】
図５、図７のように、操作パネル６０は、自身の被ガイド部６８，６８が下部構成体２４（フロント部材２０）のガイド壁３８，３８に形成されたガイド溝３８Ｂ，３８Ｂにそれぞれ嵌り込むように下部構成体２４に組み付けられる。操作パネル６０が下部構成体２４に組み付けられた組付状態では、ガイド壁３８，３８が、被ガイド部６８，６８に対向して配置され、操作パネル６０はガイド壁３８，３８に沿って前後方向に移動し得るように保持される。
【００３２】
次に、フロント部材２０をコンロ本体１Ａに組み付けるための構成について説明する。
図９のように、コンロ本体１Ａは、筐体２にグリル部８が組み付けられてなる部分である。コンロ本体１Ａは、筐体２とグリル部８とによって前方側に向かって開放した構成をなす枠部１０が形成されている。この枠部１０は、コンロ本体１Ａ自身の前部（前側の部分）に形成されており、正面視矩形状の開口部を備えた形で、後方側に向かって凹む構成をなしている。
【００３３】
図２、図９のように、コンロ本体１Ａにおいて枠部１０の底壁部（底面部）には、底壁部の上面（底面）から凹むような凹部を有する孔部５２，５２が複数（図９の例では２つ）形成されている。これら孔部５２，５２は、嵌合部の一例に相当する。コンロ本体１Ａでは、筐体２の底壁部２Ｄが枠部１０の底壁部（底面部）をなしており、この底壁部２Ｄにおいて上下に貫通した構成で複数の孔部５２，５２が形成されている。底壁部２Ｄは、少なくともフロント部材２０が載置される部分であり、具体的には、下部構成体２４が載置される部分である。底壁部２Ｄにおいて、フロント部材２０が載置される部分には、第１底板２Ｘと第２底板２Ｙとが重なって設けられており、第１底板２Ｘに形成された貫通孔５２Ａと第２底板２Ｙに形成された貫通孔５２Ｂとが上下に連通して設けられ、これら貫通孔５２Ａ，５２Ｂが孔部５２を構成している。孔部５２，５２は、枠部１０の開口部寄り（前端部寄り）に形成されている。
【００３４】
図６のようにフロント部材２０の下面部２４Ａには、下方側に突出するような凸部を有する複数の突起部５４，５４が形成されている。これら突起部５４，５４は、被嵌合部の一例に相当する。下面部２４Ａは、フロント部材２０が枠部１０内に配置されたときに上述した底壁部２Ｄ上に載置される部分である。具体的には、上述した下部構成体（支持部）２４の下面部がフロント部材２０の下面部２４Ａをなしており、下部構成体２４の下面部において下方に向かって突出するようにリブ状の突起部５４，５４が形成されている。突起部５４，５４はフロント部材２０の下面部２４Ａにおける前端寄りの位置において左右に間隔をあけて形成されている。図６の構成では、底部３６は、板状に構成されるとともに上下方向を板厚方向とするように配置される底板部３６Ａと、この底板部３６Ａから上側又は下側に突出する複数のリブを備えている。これら複数のリブのうちの一部は、底板部３６Ａから下方に突出するとともに前後方向に沿って延びる第１補強リブ３６Ｂ及び第２補強リブ３６Ｃを有している。突起部５４，５４はいずれも、左右に延びるリブ状の形態をなしており、互いに間隔をあけて配置されている。突起部５４，５４のうちの一方側の突起部５４は、第１補強リブ３６Ｂに連結されつつ第１補強リブ３６Ｂよりも底板部３６Ａからの突出量（下方側への突出量）が大きくなるように下方に突出し、第１補強リブ３６Ｂと交差するように配置されている。突起部５４，５４のうちの他方側の突起部５４は、第２補強リブ３６Ｃに連結されつつ第２補強リブ３６Ｃよりも底板部３６Ａからの突出量（下方側への突出量）が大きくなるように下方に突出し、第２補強リブ３６Ｃと交差するように配置されている。このような構成で、軽量化と強度の両立が図られている。
【００３５】
そして、図９のように構成されたコンロ本体１Ａに対し、図１０のようにフロント部材２０が組み付けられるようになっている。具体的には、フロント部材２０は、グリル部８の左右方向一方側において枠部１０内に嵌め込まれるように組み付けられる。フロント部材２０が枠部１０内に挿入されるように嵌め込まれる際には、突起部５４，５４のそれぞれが、孔部５２，５２のそれぞれの上方側から落とし込まれることにより、複数の孔部５２，５２内にそれぞれ嵌まり落ちるように組み付けられる。このように組み付けられた後、フロント部材２０の前面部の一部とコンロ本体１Ａの一部（枠部１０の開口部近傍の一部）とが前側から挿入される複数のねじ部材８０によって連結されることにより、フロント部材２０がコンロ本体１Ａに固定される。なお、枠部１０の底壁部（底面部）とフロント部材２０の下面部との間では、ねじ部材による締結がなされていてもよいが、ねじ部材による締結が省略されていることが望ましい。
【００３６】
このような構成であるため、作業者がフロント部材２０を枠部１０内に組み込む作業を行う際には、作業者は、フロント部材２０を前方側から枠部１０内に挿入させ、下部構成体２４の下面部を底壁部２Ｄと対向させつつ上部構成体２２及び下部構成体２４の前面部付近が枠部１０の開口部付近に位置するようにフロント部材２０を枠部１０内の奥まった位置に入り込ませた後（より具体的には、突起部５４，５４（被嵌合部）が孔部５２，５２（嵌合部）の真上付近に位置するように入り込ませた後）、突起部５４，５４を孔部５２，５２の上方から落とすように変位させることで、フロント部材２０の下面部と枠部１０の底壁部２Ｄ（底面部）とを容易に組み付けることができる。
【００３７】
なお、上記説明では、グリル部８の左右方向一方側に形成された枠部１０内にフロント部材２０を組み付ける例を示したが、グリル部８の左右方向他方側にも、類似した構成で、フロント部材１２０が組み付けられる。具体的には、コンロ本体１Ａは、グリル部８の左右方向他方側（正面視左側）にも、枠部１０と同様の枠部１１０が形成されており、この枠部１１０に対して、フロント部材１２０と化粧パネル１９０とが組み合わされてなるユニット１９５が組み付けられている。具体的には、フロント部材１２０、化粧パネル１９０、化粧パネル１９２が一体的に組み付けられた構成でユニット１９５が構成され、このユニット１９５が、後述する枠部１１０内に一部を挿入させた形でコンロ本体１Ａの前側に組み付けられている。
【００３８】
図１０では、グリル部８の左右方向他方側（正面視したときの左側）に形成された枠部１１０内にフロント部材１２０を組み付けた例を示しており、このフロント部材１２０は、フロント部材２０を左右対称にした構造において下部構成体２４及び操作パネル６０の部分を電池収容部１６０に変更した構成となっている。なお、枠部１１０は、フロント部材１２０の挿入し得る凹状の開口構造であればよく、枠部１０と左右対称の開口構造としてもよく、左右対称の開口構造から若干変形させた形状であってもよい。
【００３９】
フロント部材１２０の下部側の所定位置には、電池を収容する電池収容部１６０が形成されている。そして、電池収容部１６０の下面部１６０Ａがフロント部材１２０の下面部の一部をなし、電池収容部１６０の下面部１６０Ａに突起部１５４（被嵌合部）が形成されている。
【００４０】
コンロ本体１Ａは、底壁部２Ｄにおいてフロント部材１２０が載置される部分でも、底壁部２Ｄの上面（底面）から凹むような凹部を有する孔部１５２，１５２が複数（図１０の例では２つ）形成されている。これら孔部１５２，１５２は、嵌合部の一例に相当する。コンロ本体１Ａでは、筐体２の底壁部２Ｄが枠部１１０の底壁部（底面部）をなしており、この底壁部２Ｄにおいて上下に貫通した構成で複数の孔部１５２，１５２が形成されている。
【００４１】
このような構成において、フロント部材１２０は、グリル部８の左右方向他方側（正面視左側）において枠部１１０内に嵌め込まれるように組み付けられる。フロント部材１２０が枠部１１０内に組み込まれる際には（即ち、フロント部材１２０が枠部１１０内に挿入されるように嵌め込まれる際には）、突起部１５４，１５４がそれぞれ孔部１５２，１５２の上方側から落とし込まれることにより、複数の孔部１５２，１５２内にそれぞれ嵌まり落ちるように組み付けられる。
【００４２】
次に、本構成の効果を例示する。
本構成のコンロ１は、枠部１０の底壁部（底面部）に凹部を有する孔部５２，５２（嵌合部）が形成され、フロント部材２０の下面部には、凸部を有するとともに孔部５２，５２（嵌合部）と嵌まり合う突起部５４，５４（被嵌合部）が形成されている。そして、フロント部材２０が枠部１０内に組み込まれる際に、突起部５４，５４（被嵌合部）が孔部５２，５２（嵌合部）の上方側から落とし込まれることにより孔部５２，５２（嵌合部）と嵌まり合う構成となっている。このような構成であるため、作業者がフロント部材２０を枠部１０内に組み込む作業を行う際には、フロント部材２０を前方側から枠部１０内に挿入した後、突起部５４，５４（被嵌合部）を孔部５２，５２（嵌合部）の上方から落とすように変位させることで、フロント部材２０の下面部と枠部１０の底壁部（底面部）とを容易に組み付けることができる。つまり、フロント部材２０の下面部が前後及び左右に移動することを規制した状態でフロント部材２０を枠部１０内に組み込む作業を容易に行うことができ、筐体２の下側から多数のねじ止め等を行わずとも、フロント部材２０の下面部を容易に位置決め及び位置保持することができる。よって、コンロ本体の枠部１０にフロント部材２０を組み付ける作業の容易化が図られる。
【００４３】
本構成のコンロ１は、操作パネル６０を備え、この操作パネル６０は、フロント部材２０に対して変位可能に取り付けられ、フロント部材２０の前側に突出した前方位置（図８（Ｂ））と前方位置のときよりも後方側に退避した退避位置（図８（Ａ））とに変位し得る。そして、フロント部材２０は、操作パネル６０の下方側に配置されるとともに操作パネル６０をスライド可能に支持する下部構成体（支持部）２４を有する。下部構成体（支持部）２４の下面部２４Ａがフロント部材２０の下面部の少なくとも一部をなし、下部構成体（支持部）２４の下面部２４Ａに突起部５４，５４（被嵌合部）が形成されている。このようにすれば、進退可能な操作パネル６０をフロント部材２０に設けた構成において、コンロ本体１Ａの枠部１０にフロント部材２０を組み付ける作業の容易化が図られる。具体的には、操作パネル６０を支持する下部構成体（支持部）２４を枠部１０の底壁部２Ｄ（底面部）に組み付ける部位として利用することができる。
【００４４】
また、コンロ１において、フロント部材１２０には電池を収容する電池収容部１６０が形成されている。そして、電池収容部１６０の下面部がフロント部材１２０の下面部の少なくとも一部をなし、電池収容部１６０の下面部に突起部１５４（被嵌合部）が形成されている。このようにすれば、電池を収容する電池収容部１６０をフロント部材１２０に設けた構成において、コンロ本体１Ａの枠部１１０にフロント部材１２０を組み付ける作業の容易化が図られる。具体的には、電池収容部１６０の下面部を枠部１１０の底壁部（底面部）に組み付ける部位として利用することができる。
【００４５】
また、コンロ１は、嵌合部が孔部５２，５２からなり、被嵌合部が突起部５４，５４からなり、枠部１０の底壁部（底面部）に複数の孔部５２，５２が形成され、フロント部材２０の下面部には、下方側に突出するとともにフロント部材２０が枠部１０内に嵌め込まれたときに複数の孔部５２，５２内にそれぞれ嵌まり落ちる複数の突起部５４，５４が形成されている。このようにすれば、孔部５２，５２及び突起部５４，５４という簡易な構成によりフロント部材２０の下面部側の組み付け構造を実現することができ、突起部５４，５４を孔部５２，５２に落とし込むという簡易な作業によりフロント部材２０の下面部と枠部１０の底壁部（底面部）とを組み付けることができるようになる。よって、構成の簡易化、作業の容易化が一層図られる。
【００４６】
コンロ１は、筐体２の底壁部２Ｄが枠部１０の底壁部（底面部）をなしている。そして、筐体２の底壁部２Ｄにおいて上下に貫通した構成で複数の孔部５２，５２が形成されている。このようにすれば、枠部１０の底壁部（底面部）を筐体２の底壁部２Ｄによって兼用することができ、構成の一層の簡易化が図られる。そして、フロント部材２０を筐体２の底壁部２Ｄに直接位置決めすることができるようになる。
【００４７】
＜他の実施例＞
本発明は上記記述及び図面によって説明した実施例に限定されるものではなく、例えば次のような例も本発明の技術的範囲に含まれる。
【００４８】
上述した実施例１では、コンロ本体１Ａにおいて枠部１０の底壁部（底面部）に、凹部を有する孔部５２，５２（嵌合部）が形成され、フロント部材２０の下面部には、凸部を有する突起部５４，５４（被嵌合部）が形成されていたが、凹凸を逆にしてもよい。例えば、孔部５２，５２の代わりに、底壁部２Ｄにおいて上方側に凸となるような凸部を嵌合部として設け、フロント部材２０の下面部において上方側に向かって凹むような凹部を被嵌合部として形成してもよい。底壁部２Ｄにおいて嵌合部となる凸部を形成する場合、例えば、底壁部２Ｄの一部を金属片（凹部に挿入可能な位置、サイズの金属片）として構成するとともに、この金属片が上方に向かって立ち上がるように折り曲げられる加工（切り起こし加工等）によって凸部を形成するとよい。そして、フロント部材２０が枠部１０内に組み込まれる際に、凸部（嵌合部）が凹部（被嵌合部）の上方側から落とし込まれることにより嵌まり合うようになっていてもよい。
【００４９】
実施例１では、下部構成体２４においてスライド可能に支持されるように操作パネル６０を設けた構成を例示したが、下部構成体２４と操作パネル６０とが設けられた領域を、箱状の電池収容部に変更してもよい。例えば、化粧パネル９２の部分を前側に傾倒可能な開閉扉として構成し、開閉扉を傾倒させたときに電池収容部が前側に向かって開放した形で露出するように構成されていてもよい。或いは、実施例１のコンロ１において操作パネル６０の部分を、箱状且つ前後にスライド可能な電池収容部に変更してもよい。
【符号の説明】
【００５０】
１…ガスコンロ（コンロ）
２…筐体
２Ｄ…底壁部（底面部）
８…グリル部
１０，１１０…枠部
２０，１２０…フロント部材
２４…下部構成体（支持部）
５２，１５２…孔部（嵌合部）
５４，１５４…突起部（被嵌合部）
６０…操作パネル
１６０…電池収容部
【図１】
2020101307.tif 000003
【図２】
2020101307.tif 000004
【図３】
2020101307.tif 000005
【図４】
2020101307.tif 000006
【図５】
2020101307.tif 000007
【図６】
2020101307.tif 000008
【図７】
2020101307.tif 000009
【図８】
2020101307.tif 000010
【図９】
2020101307.tif 000011
【図１０】
2020101307.tif 000012
【図１１】
2020101307.tif 000013